(57)【要約】【課題】シート状のケーブルとの接続が容易なプラグコネクタを提供する。【解決手段】プラグコネクタ１は、レセプタクルコネクタ３が備えるレセプタクルハウジング３１への挿抜が可能なプラグハウジング１１と、ケーブル２に結合可能な結合部１２１と、レセプタクルコネクタ３に嵌合した状態においてレセプタクル端子３３に接触する接点部１２２と、をそれぞれ有し、プラグハウジング１１にそれぞれ収納される複数のプラグ端子１２と、を備える。また、プラグハウジング１１の外面には、ケーブル２を収容可能な凹部１０と、凹部１０よりも外方に突出する凸部１６と、が形成されている。そして、凸部１６は、プラグハウジング１１をレセプタクルハウジング３１に挿抜するときに、プラグハウジング１１がレセプタクルハウジング３１に対して相対移動する方向である挿抜方向に沿って延設されている。【選択図】図４
2020035769.tif 000002
【特許請求の範囲】
【請求項１】
レセプタクルコネクタに嵌合し、シート状のケーブルに結合することにより、前記レセプタクルコネクタが備えるレセプタクル端子と前記ケーブルが備えるケーブル端子との間を電気的に接続可能なプラグコネクタであって、
前記レセプタクルコネクタが備えるレセプタクルハウジングへの挿抜が可能なプラグハウジングと、
前記ケーブルに結合可能な結合部と、前記レセプタクルコネクタに嵌合した状態において前記レセプタクル端子に接触する接点部と、をそれぞれ有し、前記プラグハウジングにそれぞれ収納される複数のプラグ端子と、
を備え、
前記プラグハウジングの外面には、前記ケーブルを収容可能な凹部と、前記凹部よりも外方に突出する凸部と、が形成されており、
前記凸部は、前記プラグハウジングを前記レセプタクルハウジングに挿抜するときに、前記プラグハウジングが前記レセプタクルハウジングに対して相対移動する方向である挿抜方向に沿って延設されていることを特徴とするプラグコネクタ。
【請求項２】
前記凸部は、前記プラグハウジングを前記レセプタクルハウジングに挿抜するときに前記レセプタクルハウジングと対向する側である前記挿抜方向の一方側の端部から他方側に向けて延設されていることを特徴とする請求項１に記載のプラグコネクタ。
【請求項３】
前記凹部に前記ケーブルを収容した状態で、前記凸部が前記ケーブルよりも外方に突出することを特徴とする請求項１又は２に記載のプラグコネクタ。
【請求項４】
前記凸部における当該凸部が突出する方向である突出方向の先端には、前記挿抜方向に略平行な平坦面が形成されていることを特徴とする請求項１〜３のいずれか１項に記載のプラグコネクタ。
【請求項５】
前記凸部は、それぞれ独立して形成された第１凸部領域と第２凸部領域とを有しており、
前記第１凸部領域と前記第２凸部領域とが、前記凸部が突出する方向である突出方向および前記挿抜方向と直交する方向に沿って見たときに、互いに重なり合うように配置されていることを特徴とする請求項１〜４のいずれか１項に記載のプラグコネクタ。
【請求項６】
前記第１凸部領域が、前記プラグハウジングを前記レセプタクルハウジングに挿抜するときに前記レセプタクルハウジングと対向する側である前記挿抜方向の一方側の端部から他方側の端部の途中まで延在するように配置されており、
前記第２凸部領域が、前記挿抜方向の他方側の端部から一方側の端部の途中まで延在するように配置されていることを特徴とする請求項５に記載のプラグコネクタ。
【請求項７】
前記第１凸部領域が、前記プラグハウジングの外面における前記凸部が突出する方向である突出方向および前記挿抜方向と直交する方向の中央部に配置されており、
前記第２凸部領域が、前記プラグハウジングの外面における前記突出方向および前記挿抜方向と直交する方向の端部に配置されていることを特徴とする請求項５又は６に記載のプラグコネクタ。
【請求項８】
前記第１凸部領域における前記挿抜方向の一方側の端部には、前記突出方向および前記挿抜方向と直交する方向に幅広となる幅広部が形成されていることを特徴とする請求項５〜７のいずれか１項に記載のプラグコネクタ。
【請求項９】
前記第２凸部領域における前記挿抜方向の他方側の端部には、前記突出方向および前記挿抜方向と直交する方向に幅広となる幅広部が形成されていることを特徴とする請求項５〜８のいずれか１項に記載のプラグコネクタ。
【請求項１０】
前記凹部は、前記複数のケーブル端子が形成される前記ケーブルの連結領域の形状に対応する形状をしており、
前記連結領域を前記凹部に収容した状態で、前記連結領域が、当該連結領域を補強する補強板によって前記プラグハウジングとの間に挟み込まれるようにしたことを特徴とする請求項１〜９のいずれか１項に記載のプラグコネクタ。
【請求項１１】
前記連結領域および前記補強板を前記凹部に収容した状態で、前記凸部が前記補強板よりも外方に突出することを特徴とする請求項１０に記載のプラグコネクタ。
【請求項１２】
前記複数のプラグ端子を前記プラグハウジングにそれぞれ収納するとともに前記連結領域および前記補強板を前記凹部に収容した状態を、前記凸部が突出する方向である突出方向に沿って見たときに、前記補強板が、前記複数のプラグ端子がそれぞれ有する前記結合部と重なり合うように配置されていることを特徴とする請求項１０又は１１に記載のプラグコネクタ。
【請求項１３】
請求項１〜１２のいずれか１項に記載のプラグコネクタと、前記レセプタクルコネクタと、を備えることを特徴とするコネクタセット。
【発明の詳細な説明】
【技術分野】
【０００１】
本発明は、回路間を接続するプラグコネクタ及びコネクタセットに関する。
【背景技術】
【０００２】
フレキシブルプリント回路（ＦＰＣ）等のシート状のケーブルと他の回路との間を接続するコネクタとして、ＦＰＣの導体の露出した部分に接続された端子部材がハウジングの内部に収納されることにより製造されるコネクタが知られている（特許文献１参照）。このようなコネクタにおいて、端子部材は、はんだ付け又は圧着によりＦＰＣに接続された後、ハウジングの内部に収納される。
【先行技術文献】
【特許文献】
【０００３】
【特許文献１】特開昭５８−９７２７８号公報
【発明の概要】
【発明が解決しようとする課題】
【０００４】
しかしながら、特許文献１に記載の技術は、端子部材が、ＦＰＣとの接続及びハウジングへの収納に際して１つずつ作業される必要があるため、接続工程における作業が煩雑である。
【０００５】
本発明は、上記問題点を鑑み、シート状のケーブルとの接続が容易なプラグコネクタ及びコネクタセットを提供することを目的とする。
【課題を解決するための手段】
【０００６】
上記目的を達成するために、本発明の第１の態様は、レセプタクルコネクタに嵌合し、シート状のケーブルに結合することにより、レセプタクルコネクタが備えるレセプタクル端子とケーブルが備えるケーブル端子との間を電気的に接続可能なプラグコネクタであって、レセプタクルコネクタが備えるレセプタクルハウジングへの挿抜が可能なプラグハウジングと、ケーブルに結合可能な結合部と、レセプタクルコネクタに嵌合した状態においてレセプタクル端子に接触する接点部と、をそれぞれ有し、プラグハウジングにそれぞれ収納される複数のプラグ端子と、を備えることを要旨とし、プラグハウジングの外面には、ケーブルを収容可能な凹部と、凹部よりも外方に突出する凸部と、が形成されており、凸部は、プラグハウジングをレセプタクルハウジングに挿抜するときに、プラグハウジングがレセプタクルハウジングに対して相対移動する方向である挿抜方向に沿って延設されていることを特徴とする。
【発明の効果】
【０００７】
本発明によれば、所定の形状を有することにより、シート状のケーブルとの接続が容易なプラグコネクタ及びコネクタセットを提供することができる。
【図面の簡単な説明】
【０００８】
【図１】本発明の第１実施形態に係るコネクタセットの基本的な構成を説明する斜視図である。
【図２】本発明の第１実施形態に係るコネクタセットの基本的な構成を説明する斜視図である。
【図３】本発明の第１実施形態に係るコネクタセットが備えるプラグコネクタを説明する分解斜視図である。
【図４】本発明の第１実施形態に係るコネクタセットが備えるプラグコネクタの裏面側を説明する斜視図である。
【図５】本発明の第１実施形態に係るコネクタセットが備えるプラグコネクタとＦＰＣとを連結する様子を説明する斜視図である。
【図６】本発明の第１実施形態に係るコネクタセットが備えるＦＰＣの裏面側を説明する斜視図である。
【図７】本発明の第１実施形態に係るコネクタセットを説明する正面図である。
【図８】本発明の第１実施形態に係るコネクタセットが備えるプラグコネクタの裏面側を説明する斜視図である。
【図９】本発明の第２実施形態に係るコネクタセットの基本的な構成を説明する斜視図である。
【図１０】本発明の第２実施形態に係るコネクタセットの基本的な構成を説明する斜視図である。
【図１１】本発明の第２実施形態に係るコネクタセットが備えるプラグコネクタを説明する斜視図である。
【図１２】本発明の第２実施形態に係るコネクタセットに用いるプラグ端子を説明する斜視図である。
【図１３】本発明の第２実施形態に係るコネクタセットに用いる固定具を説明する斜視図である。
【図１４】本発明の第２実施形態に係るコネクタセットが備えるレセプタクルコネクタを説明する分解斜視図である。
【図１５】本発明の第３実施形態に係るコネクタセットが備えるプラグコネクタを説明する斜視図である。
【図１６】本発明の第３実施形態に係るコネクタセットが備えるプラグコネクタを説明する裏面図である。
【図１７】本発明の第４実施形態に係るコネクタセットが備えるプラグコネクタを説明する斜視図である。
【図１８】本発明の第４実施形態に係るコネクタセットが備えるプラグコネクタを説明する平面図である。
【図１９】本発明の第４実施形態に係るコネクタセットが備えるプラグコネクタを説明する裏面図である。
【図２０】本発明の第４実施形態に係るコネクタセットが備えるプラグコネクタを説明する正面図である。
【発明を実施するための形態】
【０００９】
次に、図面を参照して、本発明の第１〜第４実施形態を説明する。以下の図面の記載において、同一又は類似の部分には同一又は類似の符号を付し、重複する説明を省略している。また、以下に示す第１〜第４実施形態は、本発明の技術的思想を具体化するための装置や方法を例示するものであって、本発明の技術的思想は、構成部品の材質、形状、構造、配置等を下記のものに特定するものでない。
【００１０】
（第１実施形態）
本発明の第１実施形態に係るコネクタセット（１，３）は、図１及び図２に示すように、プラグコネクタ１と、プラグコネクタ１に嵌合するレセプタクルコネクタ３とを備える。プラグコネクタ１は、フレキシブルフラットケーブル（ＦＰＣ）２に結合可能に形成される。プラグコネクタ１は、レセプタクルコネクタ３に嵌合し、ＦＰＣ２に結合することにより、レセプタクルコネクタ３が備えるレセプタクル端子３３（図１において図示省略）とＦＰＣ２が備えるＦＰＣ端子２２１との間を電気的に接続可能である。
【００１１】
プラグコネクタ１は、概略として直方体状のプラグハウジング１１と、プラグハウジング１１の内部にそれぞれ収納される複数のプラグ端子１２とを備える。複数のプラグ端子１２は、プラグハウジング１１において、横方向（水平方向）に一列に配列される。
【００１２】
プラグハウジング１１は、例えば、樹脂材料から射出成形される。プラグハウジング１１は、レセプタクルコネクタ３に嵌合した状態でプラグコネクタ１をロックするフック１４と、フック１４によるロックを解除するリリースボタン１５と、複数のガイド溝１９とを上面に有する。リリースボタン１５は、フック１４と連結しており、押圧されることにより、フック１４と連動して変位する。ガイド溝１９は、レセプタクルコネクタ３への挿抜方向に沿ってそれぞれ形成される。
【００１３】
ＦＰＣ２は、支持体２１と、支持体２１に支持される導体層２２とを備えるシート状のケーブルである。支持体２１は、複数の絶縁体膜からなり、導体層２２を被覆する。導体層２２は、絶縁体膜上に印刷された導体膜であり、複数のプラグ端子１２にそれぞれ対応する複数の配線パターンである。
【００１４】
レセプタクルコネクタ３は、レセプタクルハウジング３１と、固定具３２と、レセプタクル端子３３とを備える。レセプタクルハウジング３１は、プラグコネクタ１が挿入される差込口３０と、ガイド溝１９に対応して形成されるガイドリブ３４とを有する。レセプタクルハウジング３１は、例えば樹脂材料から射出成形される。固定具３２は、レセプタクルコネクタ３が実装基板３９に実装される場合において、レセプタクルハウジング３１を実装基板３９に固定する金具である。固定具３２は、概略として垂直な平板状であり、金属材料からなる。固定具３２は、下部において屈曲されることにより形成された結合部３２１と、結合部３２１の残余部である固定部３２２とを有する。固定具３２が固定部３２２においてレセプタクルハウジング３１に保持され、結合部３２１が実装基板３９とはんだ付けされることにより、レセプタクルコネクタ３は、実装基板３９に実装される。
【００１５】
プラグハウジング１１は、図３に示すように、レセプタクルコネクタ３への挿抜方向における一端面から他端面に貫通する複数の収納部１２０を有する。プラグハウジング１１は、レセプタクルコネクタ３と反対側の収納部１２０の開口部からプラグ端子１２が挿入されることにより、プラグ端子１２を収納する。レセプタクルコネクタ３側の収納部１２０の開口部は、プラグ端子１２が抜け落ちないように、反対側の開口部よりも狭く形成される。なお、図示を省略しているが、レセプタクルコネクタ３側の収納部１２０の開口部は、レセプタクル端子３３を導入する導入口１００（図７参照）となっており、導入口１００の周縁部は、レセプタクル端子３３が導入されやすいようにテーパ状に形成される。
【００１６】
プラグ端子１２は、例えば、金属板を所定の形状に打ち抜いた後に屈曲させることによりそれぞれ形成される。プラグ端子１２は、ＦＰＣ２に結合する結合部１２１と、プラグコネクタ１がレセプタクルコネクタ３に嵌合した状態においてレセプタクル端子３３に接触する接点部１２２とをそれぞれ有する。結合部１２１は、単一のＦＰＣ２が備える複数
のＦＰＣ端子（ケーブル端子）２２１にそれぞれ結合可能に、プラグハウジング１１からそれぞれ露出して配置される。すなわち、結合部１２１は、ＦＰＣ２がなし得る同一平面上にそれぞれ位置する。接点部１２２は、プラグコネクタ１がレセプタクルコネクタ３に嵌合した状態において、レセプタクル端子３３をそれぞれ挟み込む或いは押圧することができるように、一部において屈曲される。
【００１７】
プラグハウジング１１は、ＦＰＣ２と結合する際に互いを固定する固定具１３を保持する保持部１１０を有する。保持部１１０は、プラグ端子１２の配列方向におけるプラグコネクタ１の両側の側面に、固定具１３の形状に対応するように形成される。固定具１３は、概略として垂直な平板状であり、金属材料からなる。固定具１３は、下部において屈曲されることにより形成された結合部１３１と、結合部１３１の残余部であり、結合部１３１よりも水平方向の幅が大きな固定部１３２とを有する。保持部１１０は、プラグハウジング１１の上面側から固定具１３が挿入され、結合部１３１がプラグハウジング１１の下面側に露出した状態で固定具１３を保持する。
【００１８】
プラグハウジング１１は、図４に示すように、ＦＰＣ２の形状に対応して凹状に形成された凹部１０と、凹部１０を除く残余部である凸部１６とを下面に有する。凹部１０は、プラグハウジング１１の上下方向における寸法が凸部１６よりも小さな水平面をなすように形成される。凹部１０は、プラグ端子１２の結合部１２１の下端と、固定具１３の結合部１３１の下端との垂直方向の位置が互いに同一となるように形成される。
【００１９】
凸部１６は、プラグハウジング１１の下面のうち、レセプタクルコネクタ３側の１辺を共有するように形成された凸部１６１と、凸部１６１の中央から直交する方向に延伸する凸部１６２と、凸部１６１，１６２からそれぞれ離間する凸部１６３とから構成される。凸部１６２は、凸部１６１から凹部１０の中央部まで延伸する。凸部１６３は、凸部１６１の延伸方向におけるプラグハウジング１１の両端側にそれぞれ形成される。凸部１６１と２つの凸部１６３との間には、それぞれ固定具１３の結合部１３１が位置する。
【００２０】
ＦＰＣ２は、図５に示すように、プラグコネクタ１との連結に使用される連結領域２１１と、他の回路との配線のために導体層２２が延伸する延伸領域２１２とを有する。連結領域２１１は、延伸領域２１２の一端側に位置する。延伸領域２１２は、連結領域２１１がプラグコネクタ１に連結した状態において、レセプタクルコネクタ３の反対側に位置する。
【００２１】
ＦＰＣ２は、連結領域２１１における上面に、支持体２１から露出された導体層２２である複数のＦＰＣ端子２２１と、固定具１３に結合する結合端子２３とを備える。連結領域２１１は、プラグハウジング１１の凹部１０の形状に対応して形成される。或いは、凹部１０は、ＦＰＣ端子２２１が形成されるＦＰＣ２の連結領域２１１の形状に対応して形成される。結合端子２３は、例えば、導体層２２の印刷工程において導体層２２と同様に形成される。
【００２２】
結合端子２３は、固定具１３の位置に対応し、プラグコネクタ１の挿抜方向に直交する方向における連結領域２１１の両端側に突出するように形成される。その他、ＦＰＣ２は、連結領域２１１において、凸部１６２に対応するように形成されたスリット２４と、凹部１０に位置するように形成された貫通孔２５とを有する。
【００２３】
プラグコネクタ１は、ＦＰＣ２の連結領域２１１を凹部１０に収容した状態で、複数のプラグ端子１２と複数のＦＰＣ端子２２１とが互いにはんだ付けされることにより、ＦＰＣ２に連結する。プラグコネクタ１は、保持部１１０に保持された固定具１３の結合部１３１と結合端子２３とが互いにはんだ付けされることにより、ＦＰＣ２に強固に固定される。
【００２４】
プラグコネクタ１は、図６に示すように、連結したＦＰＣ２を補強する補強板４を更に備えるようにしてもよい。補強板４は、例えば、ガラスエポキシ樹脂、ステンレス等からなり、ＦＰＣ２の連結領域２１１の形状に対応して形成される。補強板４は、例えば、平面視において連結領域２１１と同一形状である。すなわち、補強板４は、結合端子２３の位置に対応する突出部４１と、スリット２４に対応するスリット４２と、貫通孔２５に対応する貫通孔４３とを有する。補強板４は、連結領域２１１が凹部１０に収容された状態でＦＰＣ２の連結領域２１１をプラグコネクタ１との間に挟み込むことにより、ＦＰＣ２の連結領域２１１を補強する。補強板４は、連結領域２１１との位置が合わされ、接着剤によりＦＰＣ２の裏面に貼付される。
【００２５】
互いに貼付されたＦＰＣ２及び補強板４の厚さは、凹部１０の下面と凸部１６の下面との差以下となっている。凸部１６１〜１６３は、互いに等しい水平位置となっている。また、図７に示すように、凸部１６２と凸部１６３とは、プラグコネクタ１の挿抜方向において互いに重なるように配置される。すなわち、凹部１０及び凸部１６は、補強板４に補強されたＦＰＣ２と連結したプラグコネクタ１をレセプタクルコネクタ３に対して挿抜する際、プラグコネクタ１の下面側がレセプタクルコネクタ３の差込口３０に引っ掛かることを低減することができる。
【００２６】
また、凸部１６２がスリット２４及びスリット４２に対応して形成されるように、凸部１６１〜１６３は、連結領域２１１の平面パターンに対応して形成される。よって、ＦＰＣ２及び補強板４は、凹部１０に嵌った状態で平面方向において概ね固定されることにより、プラグコネクタ１に対して簡単に位置決めされることができる。
【００２７】
レセプタクル端子３３は、差込口３０の内部から差込口３０の反対側のレセプタクルハウジング３１の外部まで達するように設けられる。レセプタクル端子３３は、例えば金属材料から形成され、概略としてＬ字状である。レセプタクル端子３３は、レセプタクルハウジング３１の外部に位置する結合部３３１と、差込口３０の内部に位置する接点部３３２とを有する。接点部３３２は、プラグコネクタ１が差込口３０に挿入されると、導入口１００（図８参照）に導入され、プラグコネクタ１がレセプタクルコネクタ３に嵌合した状態において接点部１２２に接触する。結合部３２１及び結合部３３１が実装基板３９の端子とはんだ付け等により結合されることにより、レセプタクルコネクタ３は、実装基板３９に実装される。
【００２８】
レセプタクルコネクタ３は、差込口３０の内部の上面において、ガイドリブ３４の他、プラグコネクタ１のフック１４に引っ掛かることによりプラグコネクタ１を嵌合した状態でロックするフック受け部３５を有する。プラグコネクタ１がレセプタクルコネクタ３に嵌合した状態においてリリースボタン１５が操作されることにより、フック１４がフック受け部３５から外れる。このように、プラグコネクタ１とレセプタクルコネクタ３との間のロックが解除されることにより、プラグコネクタ１がレセプタクルコネクタ３から抜き出し可能になる。
【００２９】
なお、プラグハウジング１１は、図８に示すように、射出成形における射出口（ゲート）が、凹部１０に位置するような金型により形成されることが好ましい。更に、ＦＰＣ２の貫通孔２５及び補強板４の貫通孔４３が、ゲートに対応する位置に形成されることが好ましい。これにより、突出するような成形不良１０１が生じた場合であっても、ＦＰＣ２が凹部１０から浮くことがなく、レセプタクルコネクタ３に対しても引っ掛かることなく円滑にプラグコネクタ１を挿抜することができる。
【００３０】
本発明の第１実施形態に係るコネクタセット（１，３）によれば、プラグハウジング１１に収納されたプラグ端子１２の結合部１２１が、プラグハウジング１１から露出して所定のパターンで配置されるので、ＦＰＣ２との接続及び連結が容易である。これにより、接続工程における煩雑な作業を解消し、コネクタセット（１，３）を用いる製品の製造コストを低減することができる。
【００３１】
（第２実施形態）
第１実施形態では、プラグコネクタ１の挿抜方向に沿うＦＰＣ２及び実装基板３９にそれぞれ結合するプラグコネクタ１を説明したが、例示である。プラグコネクタ１は、その他の姿勢でＦＰＣ２に結合するようにしてもよい。
【００３２】
本発明の第２実施形態に係るコネクタセット（１Ａ，３Ａ）は、図９及び図１０に示すように、プラグコネクタ１が、レセプタクルコネクタ３への挿抜方向に直交するように配置されるＦＰＣ２Ａに結合する点等で第１実施形態と異なる。第２実施形態において説明しない他の構成は、第１実施形態と実質的に同様であり、重複するため省略する。
【００３３】
プラグコネクタ１Ａは、図１１に示すように、概略として直方体状のプラグハウジング１１Ａと、プラグハウジング１１Ａの内部にそれぞれ収納される複数のプラグ端子１２Ａとを備える。プラグコネクタ１Ａは、導入口１００Ａの反対側の端面においてＦＰＣ２Ａに結合する。
【００３４】
プラグハウジング１１Ａは、ＦＰＣ２Ａと結合する際に互いを固定する固定具１３Ａを保持する保持部１１０Ａを有する。保持部１１０Ａは、プラグ端子１２の配列方向におけるプラグハウジング１１Ａの両側の側面に、固定具１３Ａの形状に対応するように形成される。
【００３５】
プラグ端子１２Ａは、図１２に示すように、ＦＰＣ２Ａに結合する結合部１２１Ａと、プラグコネクタ１Ａがレセプタクルコネクタ３Ａに嵌合した状態においてレセプタクル端子３３Ａに接触する接点部１２２Ａとをそれぞれ有する。結合部１２１Ａは、単一のＦＰＣ２Ａが備える複数のＦＰＣ端子２２１Ａにそれぞれ結合可能に、導入口１００Ａの反対側の端面においてプラグハウジング１１Ａからそれぞれ露出して配置される。
【００３６】
固定具１３Ａは、図１３に示すように、概略として垂直な平板状である。固定具１３Ａは、下部において屈曲されることにより形成された結合部１３１Ａと、結合部１３１Ａの残余部であり、保持部１１０Ａに挿入可能な固定部１３２Ａと、固定部１３２Ａの中央部に形成されたフック１３３Ａを有する。固定具１３Ａは、導入口１００Ａの反対側の端面側から保持部１１０Ａに挿入され、フック１３３Ａが保持部１１０Ａのフック受け部１１１Ａに引っ掛かることにより、プラグハウジング１１Ａに固定された状態で保持される。保持部１１０Ａは、結合部１３１Ａがプラグハウジング１１Ａの導入口１００Ａの反対側に露出した状態で固定具１３Ａを保持する。
【００３７】
結合部１２１Ａ及び結合部１３１Ａが、ＦＰＣ２ＡのＦＰＣ端子２２１Ａ及び結合端子２３Ａにはんだ付け等により結合されることにより、プラグコネクタ１Ａは、ＦＰＣ２Ａ及び補強板４に対して垂直方向に実装される。
【００３８】
レセプタクルコネクタ３Ａは、図１４に示すように、レセプタクルハウジング３１Ａと、固定具３２Ａと、レセプタクル端子３３Ａとを備える。レセプタクルハウジング３１Ａは、プラグコネクタ１Ａが挿入される差込口３０Ａと、ガイド溝１９に対応して形成されるガイドリブ３４と、固定具３２Ａを保持する保持部３１０Ａとを有する。保持部３１０Ａは、レセプタクル端子３３Ａの配列方向におけるレセプタクルハウジング３１Ａの両側の側面に、固定具３２Ａの形状に対応するように形成される。
【００３９】
固定具３２Ａは、概略として垂直な平板状である。固定具３２Ａは、下部において屈曲されることにより形成された結合部３２１Ａと、結合部３２１Ａの残余部であり、保持部３１０Ａに挿入可能な固定部３２２Ａと、固定部３２２Ａの中央部に形成されたフック３２３Ａを有する。固定具３２Ａは、差込口３０の反対側の端面側から保持部３１０Ａに挿入され、フック３２３Ａが保持部３１０Ａのフック受け部３１１Ａに引っ掛かることにより、レセプタクルハウジング３１Ａに固定された状態で保持される。保持部３１０Ａは、結合部３２１Ａがレセプタクルハウジング３１Ａの差込口３０Ａの反対側に露出した状態で固定具３２Ａを保持する。
【００４０】
レセプタクル端子３３Ａは、例えば金属材料から形成され、概略としてＴ字状である。レセプタクル端子３３Ａは、レセプタクルハウジング３１Ａの外部に位置する結合部３３１Ａと、差込口３０の内部に位置する接点部３３２Ａとを有する。レセプタクル端子３３Ａは、レセプタクルハウジング３１Ａの差込口３０Ａの反対側から挿入される。接点部３３２Ａは、プラグコネクタ１Ａが差込口３０Ａに挿入されると、導入口１００Ａに導入され、プラグコネクタ１Ａがレセプタクルコネクタ３Ａに嵌合した状態において接点部１２２Ａに接触する。
【００４１】
結合部３２１Ａ及び結合部３３１Ａが実装基板３９Ａの端子とはんだ付け等により結合されることにより、レセプタクルコネクタ３は、実装基板３９Ａに対して垂直方向に実装される。
【００４２】
本発明の第２実施形態に係るコネクタセット（１Ａ，３Ａ）によれば、プラグ端子１２Ａの結合部１２１Ａが、プラグハウジング１１Ａから露出して所定のパターンで配置されるので、ＦＰＣ２Ａとの接続及び連結が容易である。これにより、接続工程における煩雑な作業を解消し、コネクタセット（１Ａ，３Ａ）を用いる製品の製造コストを低減することができる。
【００４３】
（第３実施形態）
コネクタセットが備えるプラグコネクタは、図１５及び図１６に示すプラグコネクタ１Ｂとすることができる。
【００４４】
本発明の第３実施形態に係るプラグコネクタ１Ｂも、第１実施形態で例示したプラグコネクタ１と同様に、プラグコネクタ１Ｂの挿抜方向に沿うＦＰＣ２Ｂ及び図示省略した実装基板にそれぞれ結合するものである。また、プラグコネクタ１Ｂは、図示省略したレセプタクルコネクタに嵌合されるものであり、コネクタセットの一部を構成するものである。なお、本発明の第３実施形態に係るプラグコネクタ１Ｂが嵌合されるレセプタクルコネクタの形状は、上記第１実施形態に係るレセプタクルコネクタ３とほぼ同様の形状とすることができる。
【００４５】
プラグコネクタ１Ｂは、概略として直方体状のプラグハウジング１１Ｂと、プラグハウジング１１Ｂの内部にそれぞれ収納される複数のプラグ端子１２Ｂとを備える。複数のプラグ端子１２Ｂは、プラグハウジング１１Ｂにおいて、横方向（水平方向）に一列に配列される。
【００４６】
プラグハウジング１１Ｂは、例えば、樹脂材料から射出成形され、ＦＰＣ（ケーブル）２Ｂよりも硬い。プラグハウジング１１Ｂは、レセプタクルコネクタに嵌合した状態でプラグコネクタ１Ｂをロックするフック１４Ｂと、フック１４Ｂによるロックを解除するリリースボタン１５Ｂと、複数のガイド溝１９Ｂとを上面に有する。リリースボタン１５Ｂ
は、フック１４Ｂと連結しており、押圧されることにより、フック１４Ｂと連動して変位する。ガイド溝１９Ｂは、レセプタクルコネクタへの挿抜方向に沿ってそれぞれ形成される。
【００４７】
ＦＰＣ２Ｂは、支持体２１Ｂと、支持体２１Ｂに支持される導体層２２Ｂとを備えるシート状のケーブルである。支持体２１Ｂは、複数の絶縁体膜からなり、導体層２２Ｂを被覆する。導体層２２Ｂは、絶縁体膜上に印刷された導体膜であり、複数のプラグ端子１２Ｂにそれぞれ対応する複数の配線パターンである。
【００４８】
プラグハウジング１１Ｂは、図１５に示すように、レセプタクルコネクタへの挿抜方向における一端面から他端面に貫通する複数の収納部１２０Ｂを有する。プラグハウジング１１Ｂは、レセプタクルコネクタと反対側の収納部１２０Ｂの開口部からプラグ端子１２Ｂが挿入されることにより、プラグ端子１２Ｂを収納する。レセプタクルコネクタ側の収納部１２０Ｂの開口部は、プラグ端子１２Ｂが抜け落ちないように、反対側の開口部よりも狭く形成される。なお、図示を省略しているが、レセプタクルコネクタ側の収納部１２０Ｂの開口部は、レセプタクル端子を導入する導入口となっており、導入口の周縁部は、レセプタクル端子が導入されやすいようにテーパ状に形成される。
【００４９】
プラグ端子１２Ｂは、上記第１実施形態に係るプラグ端子１２とほぼ同様の形状とすることができ、例えば、金属板を所定の形状に打ち抜いた後に屈曲させることによりそれぞれ形成される。すなわち、プラグ端子１２Ｂは、ＦＰＣ２Ｂに結合する結合部１２１Ｂと、プラグコネクタ１Ｂがレセプタクルコネクタに嵌合した状態においてレセプタクル端子に接触する接点部とをそれぞれ有する。結合部１２１Ｂは、単一のＦＰＣ２Ｂが備える複数のＦＰＣ端子（ケーブル端子）２２１Ｂにそれぞれ結合可能に、プラグハウジング１１Ｂからそれぞれ露出して配置される。すなわち、結合部１２１Ｂは、ＦＰＣ２Ｂがなし得る同一平面上にそれぞれ位置する。接点部は、プラグコネクタ１Ｂがレセプタクルコネクタに嵌合した状態において、レセプタクル端子をそれぞれ挟み込む或いは押圧することができるように、一部において屈曲される。
【００５０】
プラグハウジング１１Ｂは、ＦＰＣ２Ｂと結合する際に互いを固定する固定具１３Ｂを保持する保持部１１０Ｂを有する。保持部１１０Ｂは、プラグ端子１２Ｂの配列方向におけるプラグコネクタ１Ｂの両側の側面に、固定具１３Ｂの形状に対応するように形成される。固定具１３Ｂは、概略として垂直な平板状であり、金属材料からなる。固定具１３Ｂは、下部において屈曲されることにより形成された結合部１３１Ｂと、結合部１３１Ｂの残余部であり、結合部１３１Ｂよりも水平方向の幅が大きな固定部１３２Ｂとを有する。保持部１１０Ｂは、プラグハウジング１１Ｂの上面側から固定具１３Ｂが挿入され、結合部１３１Ｂがプラグハウジング１１Ｂの下面側に露出した状態で固定具１３Ｂを保持する。
【００５１】
プラグハウジング１１Ｂは、図１６に示すように、ＦＰＣ２Ｂの形状に対応して凹状に形成された凹部１０Ｂと、凹部１０Ｂを除く残余部である凸部１６Ｂとを下面に有する。凹部１０Ｂは、プラグハウジング１１Ｂの上下方向における寸法が凸部１６Ｂよりも小さな水平面をなすように形成される。凹部１０Ｂは、プラグ端子１２Ｂの結合部１２１Ｂの下端と、固定具１３Ｂの結合部１３１Ｂの下端との垂直方向の位置が互いに同一となるように形成される。
【００５２】
凸部１６Ｂは、プラグハウジング１１Ｂの下面のうち、レセプタクルコネクタ側の１辺を共有するように形成された凸部１６１Ｂと、凸部１６１Ｂの中央から直交する方向に延伸する凸部１６２Ｂと、凸部１６１Ｂ，１６２Ｂからそれぞれ離間する凸部１６３Ｂとから構成される。凸部１６２Ｂは、凸部１６１Ｂから凹部１０Ｂの中央部まで延伸する。凸
部１６３Ｂは、凸部１６１Ｂの延伸方向におけるプラグハウジング１１Ｂの両端側にそれぞれ形成される。凸部１６１Ｂと２つの凸部１６３Ｂとの間には、それぞれ固定具１３Ｂの結合部１３１Ｂが位置する。
【００５３】
ＦＰＣ２Ｂは、図１６に示すように、プラグコネクタ１Ｂとの連結に使用される連結領域２１１Ｂと、他の回路との配線のために導体層２２Ｂが延伸する延伸領域２１２Ｂとを有する。連結領域２１１Ｂは、延伸領域２１２Ｂの一端側に位置する。延伸領域２１２Ｂは、連結領域２１１Ｂがプラグコネクタ１Ｂに連結した状態において、レセプタクルコネクタの反対側に位置する。
【００５４】
ＦＰＣ２Ｂは、連結領域２１１Ｂにおける上面に、支持体２１Ｂから露出された導体層２２Ｂである複数のＦＰＣ端子２２１Ｂと、固定具１３Ｂに結合する結合端子２３Ｂとを備える。連結領域２１１Ｂは、プラグハウジング１１Ｂの凹部１０Ｂの形状に対応して形成される。或いは、凹部１０Ｂは、ＦＰＣ端子２２１Ｂが形成されるＦＰＣ２Ｂの連結領域２１１Ｂの形状に対応して形成される。結合端子２３Ｂは、例えば、導体層２２Ｂの印刷工程において導体層２２Ｂと同様に形成される。
【００５５】
結合端子２３Ｂは、固定具１３Ｂの位置に対応し、プラグコネクタ１Ｂの挿抜方向に直交する方向における連結領域２１１Ｂの両端側に突出するように形成される。その他、ＦＰＣ２Ｂは、連結領域２１１Ｂにおいて、凸部１６２Ｂに対応するように形成されたスリット２４Ｂと、凹部１０Ｂに位置するように形成された貫通孔２５Ｂとを有する。
【００５６】
プラグコネクタ１Ｂは、ＦＰＣ２Ｂの連結領域２１１Ｂを凹部１０Ｂに収容した状態で、複数のプラグ端子１２Ｂと複数のＦＰＣ端子２２１Ｂとが互いにはんだ付けされることにより、ＦＰＣ２Ｂに連結する。プラグコネクタ１Ｂは、保持部１１０Ｂに保持された固定具１３Ｂの結合部１３１Ｂと結合端子２３Ｂとが互いにはんだ付けされることにより、ＦＰＣ２Ｂに強固に固定される。
【００５７】
プラグコネクタ１Ｂは、図１５及び図１６に示すように、連結したＦＰＣ２Ｂを補強する補強板４Ｂを更に備える。補強板４Ｂは、例えば、ガラスエポキシ樹脂、ステンレス等からなり、ＦＰＣ（ケーブル）２Ｂよりも硬い。また、補強板４Ｂは、ＦＰＣ２Ｂの連結領域２１１Ｂの形状に対応して形成される。補強板４Ｂは、例えば、平面視において連結領域２１１Ｂとほぼ同一形状である。すなわち、補強板４Ｂは、結合端子２３Ｂの位置に対応する突出部４１Ｂと、スリット２４Ｂに対応するスリット４２Ｂと、貫通孔２５Ｂに対応する貫通孔４３Ｂとを有する。補強板４Ｂは、連結領域２１１Ｂが凹部１０Ｂに収容された状態でＦＰＣ２Ｂの連結領域２１１Ｂをプラグコネクタ１Ｂとの間に挟み込むことにより、ＦＰＣ２Ｂの連結領域２１１Ｂを補強する。補強板４Ｂは、連結領域２１１Ｂとの位置が合わされ、接着剤によりＦＰＣ２Ｂの裏面に貼付される。
【００５８】
互いに貼付されたＦＰＣ２Ｂ及び補強板４Ｂの厚さは、凹部１０Ｂの下面と凸部１６Ｂの下面との差以下となっている。凸部１６１Ｂ〜１６３Ｂは、互いに等しい水平位置となっている。また、図１６に示すように、凸部１６２Ｂと凸部１６３Ｂとは、プラグコネクタ１Ｂの挿抜方向において互いに重なるように配置される。すなわち、凹部１０Ｂ及び凸部１６Ｂは、補強板４Ｂに補強されたＦＰＣ２Ｂと連結したプラグコネクタ１Ｂをレセプタクルコネクタに対して挿抜する際、プラグコネクタ１Ｂの下面側がレセプタクルコネクタの差込口に引っ掛かることを低減することができる。
【００５９】
また、凸部１６２Ｂがスリット２４Ｂ及びスリット４２Ｂに対応して形成されるように、凸部１６１Ｂ〜１６３Ｂは、連結領域２１１Ｂの平面パターンに対応して形成される。よって、ＦＰＣ２Ｂ及び補強板４Ｂは、凹部１０Ｂに嵌った状態で平面方向において概ね固定されることにより、プラグコネクタ１Ｂに対して簡単に位置決めされることができる。
【００６０】
ところで、ＦＰＣ２Ｂの連結領域２１１Ｂを補強板４Ｂとプラグコネクタ１Ｂとの間に挟み込むことにより、補強板４Ｂ及びプラグコネクタ１Ｂには、ＦＰＣ２Ｂの連結領域２１１Ｂを挟み込む挟持部４４Ｂ，１ａＢがそれぞれ形成される。
【００６１】
すなわち、補強板４Ｂ及びプラグコネクタ１Ｂは、ＦＰＣ（ケーブル）２Ｂの連結領域２１１Ｂを挟み込む挟持部４４Ｂ，１ａＢをそれぞれ有する。
【００６２】
また、複数のＦＰＣ端子（ケーブル端子）２２１Ｂは、ケーブル幅方向に並設されている。そして、補強板４Ｂの挟持部４４Ｂ及びプラグコネクタ１Ｂの挟持部１ａＢが、並設された複数のＦＰＣ端子（ケーブル端子）２２１Ｂのケーブル幅方向の両側に形成されている。
【００６３】
すなわち、ＦＰＣ（ケーブル）２Ｂのケーブル幅方向の両端が補強板４Ｂの挟持部４４Ｂ及びプラグコネクタ１Ｂの挟持部１ａＢによって挟持されている。
【００６４】
そして、図１６に示すように、プラグコネクタ１Ｂの挟持部１ａＢにおける延伸領域２１２Ｂ側の端部１１ａＢが、補強板４Ｂの挟持部４４Ｂにおける延伸領域２１２Ｂ側の端部４ａＢよりも延伸領域２１２Ｂ側に位置している。
【００６５】
さらに、ケーブル幅方向の一端から他端にかけて、プラグコネクタ１Ｂの挟持部１ａＢにおける延伸領域２１２Ｂ側の端部１１ａＢが、補強板４Ｂの挟持部４４Ｂにおける延伸領域２１２Ｂ側の端部４ａＢよりも延伸領域２１２Ｂ側に位置している。
【００６６】
本発明の第３実施形態に係るコネクタセットによれば、プラグハウジング１１Ｂに収納されたプラグ端子１２Ｂの結合部１２１Ｂが、プラグハウジング１１Ｂから露出して所定のパターンで配置されるので、ＦＰＣ２Ｂとの接続及び連結が容易である。これにより、接続工程における煩雑な作業を解消し、コネクタセットを用いる製品の製造コストを低減することができる。
【００６７】
また、本発明の第３実施形態に係るプラグコネクタ１Ｂによれば、ＦＰＣ（ケーブル）２Ｂがあおられて補強板４Ｂから離れる方向に移動した際には、ＦＰＣ（ケーブル）２Ｂの補強板４Ｂよりも延伸領域２１２Ｂ側が、ＦＰＣ（ケーブル）２Ｂよりも硬いプラグコネクタ１Ｂの挟持部１ａＢにおける延伸領域２１２Ｂ側の端部１１ａＢによって押さえられる。そのため、ＦＰＣ（ケーブル）２Ｂと補強板４Ｂとの接着が剥がれる前に、プラグコネクタ１Ｂの挟持部１ａＢにおける延伸領域２１２Ｂ側の端部１１ａＢによって、ＦＰＣ（ケーブル）２Ｂのあおりを押さえることができる。その結果、ＦＰＣ（ケーブル）２Ｂと補強板４Ｂとの接着が剥がれてしまうのを抑制することができる。
【００６８】
このとき、ＦＰＣ（ケーブル）２Ｂのケーブル幅方向の両端が補強板４Ｂの挟持部４４Ｂ及びプラグコネクタ１Ｂの挟持部１ａＢによって挟持されるようにすれば、より確実にＦＰＣ（ケーブル）２Ｂと補強板４Ｂとの接着が剥がれてしまうのを抑制することができる。
【００６９】
（第４実施形態）
コネクタセットが備えるプラグコネクタは、図１７〜図２０に示すプラグコネクタ１Ｃとすることができる。
【００７０】
本発明の第４実施形態に係るプラグコネクタ１Ｃも、第１実施形態で例示したプラグコネクタ１と同様に、プラグコネクタ１Ｃの挿抜方向に沿うＦＰＣ２Ｃ及び図示省略した実装基板にそれぞれ結合するものである。また、プラグコネクタ１Ｃは、図示省略したレセプタクルコネクタに嵌合されるものであり、コネクタセットの一部を構成するものである。なお、本発明の第４実施形態に係るプラグコネクタ１Ｃが嵌合されるレセプタクルコネクタの形状は、上記第１実施形態に係るレセプタクルコネクタ３とほぼ同様の形状とすることができる。
【００７１】
プラグコネクタ１Ｃは、概略として直方体状のプラグハウジング１１Ｃと、プラグハウジング１１Ｃの内部にそれぞれ収納される複数のプラグ端子１２Ｃとを備える。複数のプラグ端子１２Ｃは、プラグハウジング１１Ｃにおいて、横方向（水平方向）に一列に配列される。
【００７２】
プラグハウジング１１Ｃは、例えば、樹脂材料から射出成形され、ＦＰＣ（ケーブル）２Ｃよりも硬い。プラグハウジング１１Ｃは、レセプタクルコネクタに嵌合した状態でプラグコネクタ１Ｃをロックするフック１４Ｃと、フック１４Ｃによるロックを解除するリリースボタン１５Ｃと、複数のガイド溝１９Ｃとを上面に有する。リリースボタン１５Ｃは、フック１４Ｃと連結しており、押圧されることにより、フック１４Ｃと連動して変位する。ガイド溝１９Ｃは、レセプタクルコネクタへの挿抜方向に沿ってそれぞれ形成される。
【００７３】
ＦＰＣ２Ｃは、支持体２１Ｃと、支持体２１Ｃに支持される導体層２２Ｃとを備えるシート状のケーブルである。支持体２１Ｃは、複数の絶縁体膜からなり、導体層２２Ｃを被覆する。導体層２２Ｃは、絶縁体膜上に印刷された導体膜であり、複数のプラグ端子１２Ｃにそれぞれ対応する複数の配線パターンである。
【００７４】
プラグハウジング１１Ｃは、図１７に示すように、レセプタクルコネクタへの挿抜方向における一端面から他端面に貫通する複数の収納部１２０Ｃを有する。プラグハウジング１１Ｃは、レセプタクルコネクタと反対側の収納部１２０Ｃの開口部からプラグ端子１２Ｃが挿入されることにより、プラグ端子１２Ｃを収納する。レセプタクルコネクタ側の収納部１２０Ｃの開口部は、プラグ端子１２Ｃが抜け落ちないように、反対側の開口部よりも狭く形成される。なお、図示を省略しているが、レセプタクルコネクタ側の収納部１２０Ｃの開口部は、レセプタクル端子を導入する導入口となっており、導入口の周縁部は、レセプタクル端子が導入されやすいようにテーパ状に形成される。
【００７５】
プラグ端子１２Ｃは、上記第１実施形態に係るプラグ端子１２とほぼ同様の形状とすることができ、例えば、金属板を所定の形状に打ち抜いた後に屈曲させることによりそれぞれ形成される。すなわち、プラグ端子１２Ｃは、ＦＰＣ２Ｃに結合する結合部１２１Ｃと、プラグコネクタ１Ｃがレセプタクルコネクタに嵌合した状態においてレセプタクル端子に接触する接点部とをそれぞれ有する。結合部１２１Ｃは、単一のＦＰＣ２Ｃが備える複数のＦＰＣ端子（ケーブル端子）２２１Ｃにそれぞれ結合可能に、プラグハウジング１１Ｃからそれぞれ露出して配置される。すなわち、結合部１２１Ｃは、ＦＰＣ２Ｃがなし得る同一平面上にそれぞれ位置する。接点部は、プラグコネクタ１Ｃがレセプタクルコネクタに嵌合した状態において、レセプタクル端子をそれぞれ挟み込む或いは押圧することができるように、一部において屈曲される。
【００７６】
プラグハウジング１１Ｃは、ＦＰＣ２Ｃと結合する際に互いを固定する固定具１３Ｃを保持する保持部１１０Ｃを有する。保持部１１０Ｃは、プラグ端子１２Ｃの配列方向におけるプラグコネクタ１Ｃの両側の側面に、固定具１３Ｃの形状に対応するように形成される。固定具１３Ｃは、概略として垂直な平板状であり、金属材料からなる。固定具１３Ｃ
は、下部において屈曲されることにより形成された結合部１３１Ｃと、結合部１３１Ｃの残余部であり、結合部１３１Ｃよりも水平方向の幅が大きな固定部１３２Ｃとを有する。保持部１１０Ｃは、プラグハウジング１１Ｃの上面側から固定具１３Ｃが挿入され、結合部１３１Ｃがプラグハウジング１１Ｃの下面側に露出した状態で固定具１３Ｃを保持する。
【００７７】
プラグハウジング１１Ｃは、図１９に示すように、ＦＰＣ２Ｃの形状に対応して凹状に形成された凹部１０Ｃと、凹部１０Ｃを除く残余部である凸部１６Ｃとを下面に有する。凹部１０Ｃは、プラグハウジング１１Ｃの上下方向における寸法が凸部１６Ｃよりも小さな水平面をなすように形成される。凹部１０Ｃは、プラグ端子１２Ｃの結合部１２１Ｃの下端と、固定具１３Ｃの結合部１３１Ｃの下端との垂直方向の位置が互いに同一となるように形成される。
【００７８】
凸部１６Ｃは、プラグハウジング１１Ｃの下面のうち、レセプタクルコネクタ側の１辺を共有するように形成された凸部１６１Ｃと、凸部１６１Ｃの中央から直交する方向に延伸する凸部１６２Ｃと、凸部１６１Ｃ，１６２Ｃからそれぞれ離間する凸部１６３Ｃとから構成される。凸部１６２Ｃは、凸部１６１Ｃから凹部１０Ｃの中央部まで延伸する。凸部１６３Ｃは、凸部１６１Ｃの延伸方向におけるプラグハウジング１１Ｃの両端側にそれぞれ形成される。凸部１６３Ｃは、延伸領域２１２Ｃ側が凸部１６１Ｃの延伸方向の外側を向くように屈曲されている。凸部１６１Ｃと２つの凸部１６３Ｃとの間には、それぞれ固定具１３Ｃの結合部１３１Ｃが位置する。
【００７９】
ＦＰＣ２Ｃは、図１９に示すように、プラグコネクタ１Ｃとの連結に使用される連結領域２１１Ｃと、他の回路との配線のために導体層２２Ｃが延伸する延伸領域２１２Ｃとを有する。連結領域２１１Ｃは、延伸領域２１２Ｃの一端側に位置する。延伸領域２１２Ｃは、連結領域２１１Ｃがプラグコネクタ１Ｃに連結した状態において、レセプタクルコネクタの反対側に位置する。
【００８０】
ＦＰＣ２Ｃは、連結領域２１１Ｃにおける上面に、支持体２１Ｃから露出された導体層２２Ｃである複数のＦＰＣ端子２２１Ｃと、固定具１３Ｃに結合する結合端子２３Ｃとを備える。連結領域２１１Ｃは、プラグハウジング１１Ｃの凹部１０Ｃの形状に対応して形成される。或いは、凹部１０Ｃは、ＦＰＣ端子２２１Ｃが形成されるＦＰＣ２Ｃの連結領域２１１Ｃの形状に対応して形成される。結合端子２３Ｃは、例えば、導体層２２Ｃの印刷工程において導体層２２Ｃと同様に形成される。
【００８１】
結合端子２３Ｃは、固定具１３Ｃの位置に対応し、プラグコネクタ１Ｃの挿抜方向に直交する方向における連結領域２１１Ｃの両端側に突出するように形成される。その他、ＦＰＣ２Ｃは、連結領域２１１Ｃにおいて、凸部１６２Ｃに対応するように形成されたスリット２４Ｃと、凹部１０Ｃに位置するように形成された貫通孔２５Ｃとを有する。
【００８２】
プラグコネクタ１Ｃは、ＦＰＣ２Ｃの連結領域２１１Ｃを凹部１０Ｃに収容した状態で、複数のプラグ端子１２Ｃと複数のＦＰＣ端子２２１Ｃとが互いにはんだ付けされることにより、ＦＰＣ２Ｃに連結する。プラグコネクタ１Ｃは、保持部１１０Ｃに保持された固定具１３Ｃの結合部１３１Ｃと結合端子２３Ｃとが互いにはんだ付けされることにより、ＦＰＣ２Ｃに強固に固定される。
【００８３】
プラグコネクタ１Ｃは、図１７及び図１９に示すように、連結したＦＰＣ２Ｃを補強する補強板４Ｃを更に備える。補強板４Ｃは、例えば、ガラスエポキシ樹脂、ステンレス等からなり、ＦＰＣ（ケーブル）２Ｃよりも硬い。また、補強板４Ｃは、ＦＰＣ２Ｃの連結領域２１１Ｃの形状に対応して形成される。補強板４Ｃは、例えば、平面視において連結
領域２１１Ｃとほぼ同一形状である。すなわち、補強板４Ｃは、結合端子２３Ｃの位置に対応する突出部４１Ｃと、スリット２４Ｃに対応するスリット４２Ｃと、貫通孔２５Ｃに対応する貫通孔４３Ｃとを有する。補強板４Ｃは、連結領域２１１Ｃが凹部１０Ｃに収容された状態でＦＰＣ２Ｃの連結領域２１１Ｃをプラグコネクタ１Ｃとの間に挟み込むことにより、ＦＰＣ２Ｃの連結領域２１１Ｃを補強する。補強板４Ｃは、連結領域２１１Ｃとの位置が合わされ、接着剤によりＦＰＣ２Ｃの裏面に貼付される。
【００８４】
互いに貼付されたＦＰＣ２Ｃ及び補強板４Ｃの厚さは、凹部１０Ｃの下面と凸部１６Ｃの下面との差以下となっている。凸部１６１Ｃ〜１６３Ｃは、互いに等しい水平位置となっている。また、図１９に示すように、凸部１６２Ｃと凸部１６３Ｃとは、プラグコネクタ１Ｃの挿抜方向において互いに重なるように配置される。すなわち、凹部１０Ｃ及び凸部１６Ｃは、補強板４Ｃに補強されたＦＰＣ２Ｃと連結したプラグコネクタ１Ｃをレセプタクルコネクタに対して挿抜する際、プラグコネクタ１Ｃの下面側がレセプタクルコネクタの差込口に引っ掛かることを低減することができる。
【００８５】
また、凸部１６２Ｃがスリット２４Ｃ及びスリット４２Ｃに対応して形成されるように、凸部１６１Ｃ〜１６３Ｃは、連結領域２１１Ｃの平面パターンに対応して形成される。よって、ＦＰＣ２Ｃ及び補強板４Ｃは、凹部１０Ｃに嵌った状態で平面方向において概ね固定されることにより、プラグコネクタ１Ｃに対して簡単に位置決めされることができる。
【００８６】
ところで、ＦＰＣ２Ｃの連結領域２１１Ｃを補強板４Ｃとプラグコネクタ１Ｃとの間に挟み込むことにより、補強板４Ｃ及びプラグコネクタ１Ｃには、ＦＰＣ２Ｃの連結領域２１１Ｃを挟み込む挟持部４４Ｃ，１ａＣがそれぞれ形成される。
【００８７】
すなわち、補強板４Ｃ及びプラグコネクタ１Ｃは、ＦＰＣ（ケーブル）２Ｃの連結領域２１１Ｃを挟み込む挟持部４４Ｃ，１ａＣをそれぞれ有する。
【００８８】
また、複数のＦＰＣ端子（ケーブル端子）２２１Ｃは、ケーブル幅方向に並設されている。そして、補強板４Ｃの挟持部４４Ｃ及びプラグコネクタ１Ｃの挟持部１ａＣが、並設された複数のＦＰＣ端子（ケーブル端子）２２１Ｃのケーブル幅方向の両側に形成されている。
【００８９】
すなわち、ＦＰＣ（ケーブル）２Ｃのケーブル幅方向の両端が補強板４Ｃの挟持部４４Ｃ及びプラグコネクタ１Ｃの挟持部１ａＣによって挟持されている。
【００９０】
本発明の第４実施形態では、ＦＰＣ（ケーブル）２Ｃにおける並設された複数のＦＰＣ端子（ケーブル端子）２２１Ｃよりもケーブル幅方向両側に、拡幅部２６Ｃがそれぞれ形成されている。
【００９１】
そして、プラグコネクタ１Ｃの挟持部１ａＣと補強板４Ｃの挟持部４４Ｃとで各拡幅部２６Ｃをそれぞれ挟持している。具体的には、プラグハウジング１１Ｃのケーブル幅方向両側を延伸領域２１２Ｃ側に突出させた突出部１１ｂＣを形成し、突出部１１ｂＣを挟持部１ａＣとして機能させている。一方、補強板４Ｃの延伸領域２１２Ｃ側に、ケーブル幅方向両側に突出させた突出部４５Ｃを形成し、突出部４５Ｃを挟持部４４Ｃとして機能させている。
【００９２】
このとき、ケーブル幅方向両端においては、図１９に示すように、プラグコネクタ１Ｃの挟持部１ａＣにおける延伸領域２１２Ｃ側の端部１１ａＣが、補強板４Ｃの挟持部４４Ｃにおける延伸領域２１２Ｃ側の端部４ａＣよりも延伸領域２１２Ｃ側に位置している。
【００９３】
さらに、ケーブル幅方向両端においては、図１８及び図１９に示すように、補強板４Ｃの挟持部４４Ｃにおける延伸領域２１２Ｃ側の端部４ａＣが、結合部１２１Ｃの延伸領域２１２Ｃ側の端部１２ａＣよりも延伸領域２１２Ｃ側に位置している。
【００９４】
また、図２０に示すように、プラグコネクタ１Ｃの挟持部１ａＣにおける延伸領域２１２Ｃ側の端部１１ａＣのケーブル側には、Ｒ部１１ｃＣが形成されている。
【００９５】
本発明の第４実施形態に係るコネクタセットによれば、プラグハウジング１１Ｃに収納されたプラグ端子１２Ｃの結合部１２１Ｃが、プラグハウジング１１Ｃから露出して所定のパターンで配置されるので、ＦＰＣ２Ｃとの接続及び連結が容易である。これにより、接続工程における煩雑な作業を解消し、コネクタセットを用いる製品の製造コストを低減することができる。
【００９６】
また、本発明の第４実施形態に係るプラグコネクタ１Ｃによれば、ＦＰＣ（ケーブル）２Ｃがあおられて補強板４Ｃから離れる方向に移動した際には、ＦＰＣ（ケーブル）２Ｃの補強板４Ｃよりも延伸領域２１２Ｃ側が、ＦＰＣ（ケーブル）２Ｃよりも硬いプラグコネクタ１Ｃの挟持部１ａＣにおける延伸領域２１２Ｃ側の端部１１ａＣによって押さえられる。そのため、ＦＰＣ（ケーブル）２Ｃと補強板４Ｃとの接着が剥がれる前に、プラグコネクタ１Ｃの挟持部１ａＣにおける延伸領域２１２Ｃ側の端部１１ａＣによって、ＦＰＣ（ケーブル）２Ｃのあおりを押さえることができる。その結果、ＦＰＣ（ケーブル）２Ｃと補強板４Ｃとの接着が剥がれてしまうのを抑制することができる。
【００９７】
このとき、ＦＰＣ（ケーブル）２Ｃのケーブル幅方向の両端（拡幅部２６Ｃ）が補強板４Ｃの挟持部４４Ｃ及びプラグコネクタ１Ｃの挟持部１ａＣによって挟持されるようにすれば、より確実にＦＰＣ（ケーブル）２Ｃと補強板４Ｃとの接着が剥がれてしまうのを抑制することができる。
【００９８】
さらに、補強板４Ｃの挟持部４４Ｃにおける延伸領域２１２Ｃ側の端部４ａＣを、結合部１２１Ｃの延伸領域２１２Ｃ側の端部１２ａＣよりも延伸領域２１２Ｃ側に位置させれば、ＦＰＣ（ケーブル）２Ｃのあおりによって結合部１２１Ｃが変形してしまうのを抑制することができる。すなわち、結合部１２１ＣをＦＰＣ（ケーブル）２Ｃのあおりから保護することができる。
【００９９】
また、プラグコネクタ１Ｃの挟持部１ａＣにおける延伸領域２１２Ｃ側の端部１１ａＣのケーブル側にＲ部１１ｃＣを形成すれば、あおられたＦＰＣ（ケーブル）２Ｃがプラグコネクタ１Ｃの挟持部１ａＣによって破断してしまうのを抑制することができる。
【０１００】
（その他の実施の形態）
上記のように、本発明を実施の形態によって記載したが、この開示の一部をなす論述及び図面は本発明を限定するものであると理解すべきではない。この開示から当業者には様々な代替実施の形態、実施例及び運用技術が明らかとなろう。
【０１０１】
また、既に述べた第１〜第４実施形態において、ＦＰＣとして、フレキシブルフラットケーブル（ＦＦＣ）等のシート状の配線ケーブルを採用してもよい。
【０１０２】
また、既に述べた第１実施形態において、プラグハウジング１１の外面のうち、実装基板３９に対面する側の面に凹部１０が位置するプラグコネクタ１を説明したが、凹部１０は、プラグハウジング１１の外面のうち、実装基板３９の反対側の面に形成されてもよい。この場合、レセプタクルコネクタ３は、上面に凹部１０を有するプラグコネクタ１に対応して嵌合可能なように、上下方向が反転されればよい。また、レセプタクルコネクタ３と実装基板３９との位置関係及び実装形態も適宜変更されればよい。なお、既に述べた第３及び第４実施形態においても同様である。
【０１０３】
上記の他、本発明の第１〜第４実施形態に記載した構成の各一部を相互に応用した構成等、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【０１０４】
１，１Ａ，１Ｂ，１Ｃ  プラグコネクタ
１ａＢ，１ａＣ  挟持部
２，２Ａ，２Ｂ，２Ｃ  ＦＰＣ（ケーブル）
３，３Ａ，３Ｂ，３Ｃ  レセプタクルコネクタ
４，４Ａ，４Ｂ，４Ｃ  補強板
４ａＢ，４ａＣ  端部
１０  凹部
１１，１１Ａ，１１Ｂ，１１Ｃ  プラグハウジング
１１ａＢ，１１ａＣ  端部
１１ｃＣ  Ｒ部
１２，１２Ａ，１２Ｂ，１２Ｃ  プラグ端子
１２ａＣ  端部
２６Ｃ  拡幅部
３３，３３Ａ  レセプタクル端子
３９，３９Ａ  実装基板
４４Ｂ，４４Ｃ  挟持部
１２１，１２１Ａ  結合部
１２２，１２２Ａ  接点部
２１１，２１１Ａ，２１１Ｂ，２１１Ｃ  連結領域
２１２Ｂ，２１２Ｃ  延伸領域
２２１，２２１Ａ，２２１Ｂ，２２１Ｃ  ＦＰＣ端子（ケーブル端子）
【図１】
2020035769.tif 000003
【図２】
2020035769.tif 000004
【図３】
2020035769.tif 000005
【図４】
2020035769.tif 000006
【図５】
2020035769.tif 000007
【図６】
2020035769.tif 000008
【図７】
2020035769.tif 000009
【図８】
2020035769.tif 000010
【図９】
2020035769.tif 000011
【図１０】
2020035769.tif 000012
【図１１】
2020035769.tif 000013
【図１２】
2020035769.tif 000014
【図１３】
2020035769.tif 000015
【図１４】
2020035769.tif 000016
【図１５】
2020035769.tif 000017
【図１６】
2020035769.tif 000018
【図１７】
2020035769.tif 000019
【図１８】
2020035769.tif 000020
【図１９】
2020035769.tif 000021
【図２０】
2020035769.tif 000022